(57)【要約】【課題】意匠性の高い計器用指針を提供すること。【解決手段】計器用指針（２０）は、文字板（１２）の上方に回転可能に設けられ光源（１６）から出射した光を導くことが可能な導光体（４０）と、導光体（４０）に重ねられたカバー部材（５０）と、を有する。導光体（４０）は、カバー部材（５０）が載せられた導光体中心部（４１）と、導光体中心部（４１）から径方向に延びる針部（４２）と、導光体中心部（４１）に一体的に形成され針部（４２）と共にカバー部材（５０）を挟みこむ挟持部（４３）と、を含む。カバー部材（５０）は、針部（４２）の側面を囲うように隣接して配置されると共に全体の厚みが略同一に形成された指針囲い部（５２）と、指針囲い部（５２）に一体的に形成され針部（４２）及び挟持部（４３）によって挟みこまれた被挟持部（４３）と、この被挟持部（４３）を上方から覆っているキャップ部（６０）と、を有している。【選択図】図４
2018200271.tif 000002
【特許請求の範囲】
【請求項１】
文字板の上方に回転可能に設けられ光源から出射した光を導くことが可能な導光体と、この導光体に重ねられたカバー部材と、を有する計器用指針において、
前記導光体は、少なくとも一部が回転軸上に配置された導光体中心部と、この導光体中心部に一体的に形成され径方向に延びる針部と、この針部と共に前記カバー部材を挟みこむ挟持部と、を含み、
前記カバー部材は、前記針部及び前記挟持部によって挟みこまれた被挟持部と、この被挟持部に一体的に形成され前記針部の側面を囲う指針囲い部と、を有していることを特徴とする計器用指針。
【請求項２】
前記指針囲い部は、前記針部に隣接して配置されると共に全体の厚みが略同一に形成されていることを特徴とする請求項１記載の計器用指針。
【請求項３】
前記カバー部材は、前記被挟持部から下方に延び、前記導光体中心部の先端に当接している当接部を有していることを特徴とする請求項１又は請求項２記載の計器用指針。
【請求項４】
前記カバー部材は、前記被挟持部を上方から覆っているキャップ部を有していることを特徴とする請求項１乃至請求項３いずれか１項記載の計器用指針。
【請求項５】
前記キャップ部は、前記指針囲い部に対して着脱可能に設けられていることを特徴とする請求項４記載の計器用指針。
【発明の詳細な説明】
【技術分野】
【０００１】
本発明は、光源から出射した光を導くことが可能な計器用指針に関する。
【背景技術】
【０００２】
計器用指針は、車速計等の計器において、数字が表示された文字板上を回転可能に設けられている。夜間等における指針の視認性を高めるために、光源を用いて指針を照らし、この光を指針の内部に導くことが一般に行われている。内部に光を導くことにより指針を光らせ、指針の視認性を高めることができる。このような計器用指針に関する従来技術として特許文献１に開示される技術がある。
【０００３】
図６（ａ）及び図６（ｂ）を参照する。図６（ａ）は、特許文献１の図３に開示された計器用指針の平面図を示している。図６（ｂ）は、図６（ａ）の６ｂ−６ｂ線断面図であり、特許文献１の図６に対応する。
【０００４】
計器用指針１２０は、回転軸上に設けられ光源からの光を導く回転軸部材１３０と、この回転軸部材１３０に支持され回転軸部材１３０を介して光を導く導光体１４０と、この導光体１４０に重ねられたカバー部材１５０と、を有する。
【０００５】
図６（ｂ）を参照する。カバー部材１５０は、導光体１４０の側面を囲っている指針囲い部１５２と、この指針囲い部１５２の上端から導光体１４０の上面に向かって延びる延出部１５５と、からなる。
【０００６】
延出部１５５は、指針囲い部１５２と導光体１４０との間の隙間から、回転軸部材１３０の光が漏れることを抑制している。
【先行技術文献】
【特許文献】
【０００７】
【特許文献１】特許第５３４８５０９号公報
【発明の概要】
【発明が解決しようとする課題】
【０００８】
図６（ａ）を併せて参照する。特許文献１の計器用指針１２０によれば、延出部１５５が形成されていることにより、導光体１４０の縁部分の太さが太くなる。この部位を細くすることができれば、計器用指針１２０の意匠性を向上させることができる。
【０００９】
本発明は、意匠性の高い計器用指針の提供を課題とする。
【課題を解決するための手段】
【００１０】
請求項１による発明によれば、文字板の上方に回転可能に設けられ光源から出射した光を導くことが可能な導光体と、この導光体に重ねられたカバー部材と、を有する計器用指針において、
前記導光体は、少なくとも一部が回転軸上に配置された導光体中心部と、この導光体中心部に一体的に形成され径方向に延びる針部と、この針部と共に前記カバー部材を挟みこむ挟持部と、を含み、
前記カバー部材は、前記針部及び前記挟持部によって挟みこまれた被挟持部と、この被挟持部に一体的に形成され前記針部の側面を囲う指針囲い部と、前記被挟持部を上方から覆っているキャップ部と、を有し、
前記指針囲い部は、前記針部に隣接して配置されると共に全体の厚みが略同一に形成されていることを特徴とする計器用指針が提供される。
【００１１】
請求項２に記載のごとく、前記指針囲い部は、前記針部に隣接して配置されると共に全体の厚みが略同一に形成されている。
【００１２】
請求項３に記載のごとく、好ましくは、前記カバー部材は、前記被挟持部から下方に延び、前記導光体中心部の先端に当接している当接部を有している。
【００１３】
請求項４に記載のごとく、前記カバー部材は、前記被挟持部を上方から覆っているキャップ部を有している。
【００１４】
請求項５に記載のごとく、好ましくは、前記キャップ部は、前記指針囲い部に対して着脱可能に設けられている。
【発明の効果】
【００１５】
請求項１に係る発明では、針部と共にカバー部材を挟みこむ挟持部を有している。針部及び挟持部によってカバー部材を挟みこむため、カバー部材を針部に密着させることができる。カバー部材を針部に密着させることにより、これらの間に隙間が生じることを抑制し、隙間から光が漏れることも抑制できる。これにより、針部の側面を囲う指針囲い部は、全体の厚みを略同一にすることができる。即ち、針部の上面に向かって延出部を延ばす必要がなくなる。針部の縁部分を細くすることができ、意匠性の高い計器用指針を提供することができる。
【００１６】
請求項２に係る発明では、指針囲い部は、針部に隣接して配置されると共に全体の厚みが略同一に形成されている。指針囲い部をより細く形成することにより、計器用指針の意匠性を特に高めることができる。
【００１７】
請求項３に係る発明では、カバー部材は、被挟持部から下方に延び、導光体中心部の先端に当接している当接部を有している。導光体中心部の先端及び当接部が当接していることにより、導光体及びカバー部材の径方向への変位を規制することができる。長い期間使用した場合であっても、互いに変位を規制されているため、部品がずれることにより生じる光の漏れを抑制することができる。
【００１８】
請求項４に係る発明では、カバー部材は、被挟持部を上方から覆っているキャップ部を有している。より光が漏れることを抑制することができる。これにより、計器用指針の意匠性を高めることができる。
【００１９】
請求項５に係る発明では、キャップ部は、指針囲い部に対して着脱可能に設けられている。指針囲い部の上端が壁部の上端よりも上方に位置する場合であっても、壁部の上縁にホットスタンプ等による装飾を行うことができる。即ち、これらを別体とすることにより、壁部への装飾も行いやすくなり、より意匠性を向上させることができる。
【図面の簡単な説明】
【００２０】
【図１】本発明の実施例による計器用指針が搭載された計器の平面図である。
【図２】図１に示された計器用指針の平面図である。
【図３】図２に示された計器用指針の分解斜視図である。
【図４】図２の４−４線断面図である。
【図５】図４の５部拡大図である。
【図６】従来の計器用指針の構造について説明する図である。
【発明を実施するための形態】
【００２１】
本発明の実施の形態を添付図に基づいて以下に説明する。
＜実施例＞
【００２２】
図１を参照する。計器用指針２０が設けられた計器１０は、例えば、二輪車に搭載された車速計である。
【００２３】
計器１０は、樹脂製の筐体１１に、車速を示す数字１２ａが表示された文字板１２と、この文字板１２に形成された開口部１２ｂに臨み走行距離を液晶表示する液晶表示部１３と、文字板１２上に回転可能に設けられた計器用指針２０と、を収納してなる。筐体１１の上部は、透明樹脂製の蓋体１５によって覆われている。
【００２４】
計器用指針２０は、文字板１２の裏面側に配置されたモータによって回転可能に支持されている。モータ軸上に固定された計器用指針２０は、モータが作動することにより、回転する。計器用指針２０は、車速に応じた数字１２ａを指示する。運転者は、指示された数字１２ａから車速を認識することができる。
【００２５】
図２及び図３を参照する。計器用指針２０は、モータ軸上に固定された透明樹脂製の回転軸部材３０と、この回転軸部材３０に支持された透明樹脂製の導光体４０と、この導光体４０に重ねられたカバー部材５０と、からなる。
【００２６】
図３及び図４を参照する。回転軸部材３０は、ＬＥＤ製の光源１６の上方に配置され、光源１６から出射した光を導光体４０へ導く部品である。
【００２７】
回転軸部材３０は、回転軸ＣＬ上に設けられた筒状の軸部材中心部３１と、この軸部材中心部３１の上端に一体的に形成され導光体４０を支持する導光体支持部３２と、からなる。
【００２８】
回転軸部材３０は、モータ軸に固定されている。
【００２９】
導光体支持部３２は、上方に向かって突出し回転軸ＣＬを挟んで２つ形成された支持ピン部３２ａ、３２ａを有する。導光体支持部３２の形状は、導光体４０の意匠面を均一に光らせることができるよう様々な凹凸形状（レンズ形状）が組み合わされてなる。
【００３０】
導光体４０は、透明樹脂製の導光性を有する部品である。導光体４０は、支持ピン部３２ａ、３２ａに載せられた板状の導光体中心部４１と、この導光体中心部４１に一体的に形成され径方向に延びる針部４２と、導光体中心部４１の先端から上方に突出し針部４２と共にカバー部材５０を挟み込む挟持部４３、４３と、からなる。
【００３１】
導光体中心部４１には、支持ピン部３２ａ、３２ａが貫通する貫通穴４１ａ、４１ａが空けられている。貫通穴４１ａ、４１ａの中心を結んだ線Ｌ２は、針部４２の延びる方向に対して略垂直に延びる。
【００３２】
針部４２は、導光性を有すると共に、上方に向かって光を反射可能に内部に微細な凹凸が形成されている。針部４２の上面は、運転者（視認者）が視認可能な意匠面である。針部４２は、導光体中心部４１の上面に一体的に形成された略直方体状の針部基部４２ａと、この針部基部４２ａの先端から径方向に延びる針部延出部４２ｂと、からなる。
【００３３】
針部延出部４２ｂは、側面視において略三角形状を呈すると共に、平面視及び底面視において略矩形状を呈する。針部延出部４２ｂの上面は、針部基部４２ａの上面から連続して形成されている。
【００３４】
挟持部４３、４３は、針部基部４２ａを挟んで左右に２カ所形成されている。挟持部４３、４３は、導光体中心部４１から立ち上げられ、針部基部４２ａ（針部４２）に略平行に延びる壁状の部位である。挟持部４３、４３の高さは、針部４２の高さよりも低く設定されている。左右の挟持部４３、４３は、それぞれ同じ形状を呈する。
【００３５】
図４及び図５を参照する。挟持部４３は、針部基部４２ａに対向している針部対向面部４３ａと、この針部対向面部４３ａの上端から斜めに延びる斜面部４３ｂと、この斜面部４３ｂの上端から略水平に延びる上面部４３ｃと、この上面部４３ｃの端部から下げられた外面部４３ｄと、を有している。
【００３６】
斜面部４３ｂは、針部４２から離れるように上面部４３ｃの端部に向かって上斜め方向に延びている。換言すれば、斜面部４３ｂは、上面部４３ｃの端部から針部４２に向かって下り勾配に形成されている。
【００３７】
図３を参照する。カバー部材５０は、略Ｕ字状に形成され左右の先端部が針部４２及び挟持部４３によって挟持される被挟持部５１と、この被挟持部５１に一体的に形成され針部４２の側面を囲う指針囲い部５２と、被挟持部５１の左右の先端から下方に下げられ導光体中心部４１の先端に当接している当接部５３と、被挟持部５１を上方から覆っているキャップ部６０と、からなる。
【００３８】
図４を併せて参照する。指針囲い部５２は、平面視において略矩形状を呈し針部を囲って上下方向に延びる。指針囲い部５２の全体の厚みは、略同一に形成されている。指針囲い部５２の上面は、視認者から視認可能な意匠部である。
【００３９】
キャップ部６０は、被挟持部５１、指針囲い部５２及び当接部５３に対して別体にて形成されている。即ち、キャップ部６０は、指針囲い部に対して着脱可能に設けられている。
【００４０】
キャップ部６０は、回転軸部材３０、針部基部４２ａ、被挟持部５１及び当接部５３の上方を覆っている円形板状のキャップ本体部６１と、このキャップ本体部６１の周縁に連続して形成された筒状のキャップ壁部６２と、からなる。
【００４１】
キャップ壁部６２は、上部から下部に向かって連続的に径が大きくなっている。キャップ壁部６２は、回転軸部材３０、針部基部４２ａ、被挟持部５１及び当接部５３の側方も覆っている。
【００４２】
指針囲い部５２の一部は、キャップ本体部６１からキャップ壁部６２まで連続して空けられたリンク穴部６１ａ、６２ａから外部に露出している。
【００４３】
計器用指針２０を組み立てる際には、まず、導光体４０に指針囲い部５２を被せて固定する。指針囲い部５２は、被挟持部５１を針部４２及び挟持部４３の間に嵌め込むことにより、導光体４０に固定される。
【００４４】
次に、導光体４０に固定された指針囲い部５２の先端を、キャップ部６０の下方からリンク穴部６１ａ、６２ａに挿入し、キャップ部６０を導光体４０及び指針囲い部５２に固定する。
【００４５】
最後に、導光体中心部４１の貫通穴４１ａ、４１ａを、回転軸部材３０の支持ピン部３２ａ、３２ａに合わせて載置する。
【００４６】
以上に説明した本発明は、以下の効果を奏する。
【００４７】
図４を参照する。導光体４０は、針部４２と共にカバー部材５０を挟みこむ挟持部４３を有している。針部４２及び挟持部４３によってカバー部材５０を挟みこむため、カバー部材５０を針部４２に密着させることができる。カバー部材５０を針部４２に密着させることにより、これらの間に隙間が生じることを抑制し、隙間から光が漏れることも抑制できる。これにより、針部４２の側面を囲う指針囲い部５２は、全体の厚みを略同一にすることができる。即ち、針部４２の上面に向かって延出部（図６、符号１５５参照）を延ばす必要がなくなる。針部４２の縁部分を細くすることができ、意匠性の高い計器用指針２０を提供することができる。
【００４８】
指針囲い部５２は、針部４２に隣接して配置されると共に全体の厚みが略同一に形成されている。指針囲い部５２をより細く形成することにより、計器用指針１０の意匠性を特に高めることができる。
【００４９】
図３を参照する。カバー部材５０は、被挟持部５１から下方に延び、導光体中心部４１の先端に当接している当接部５３を有している。導光体中心部４１の先端及び当接部５３が当接していることにより、導光体４０及びカバー部材５０の径方向への変位を規制することができる。長い期間使用した場合であっても、互いに変位を規制されているため、部品がずれることにより生じる光の漏れを抑制することができる。
【００５０】
図４を参照する。カバー部材５０は、被挟持部５１を上方から覆っているキャップ部６０を有している。より光が漏れることを抑制することができる。これにより、計器用指針１０の意匠性を高めることができる。
【００５１】
キャップ部６０は、指針囲い部５２に対して着脱可能に設けられている。指針囲い部５２の上端がキャップ壁部６２の上端よりも上方に位置する場合であっても、指針囲い部５２を取り付ける前にキャップ壁部６２の上縁にホットスタンプ等による装飾を行うことができる。即ち、これらを別体とすることにより、キャップ壁部６２への装飾も行いやすくなり、より意匠性を向上させることができる。
【００５２】
さらに、針部４２の意匠面は、キャップ６０の上端よりも高い位置に位置する。光る針部４２をより手前に位置させることにより、より立体的なデザインとすることができ意匠性を高めることができる。
【００５３】
導光体中心部４１は、光源１６の上方に位置している。挟持部４３は導光体中心部４１に一体的に形成されている。光源１６から近い部位は、出射された光のエネルギが高い。光のエネルギが高く、光が漏れた際に目立ちやすい部位に挟持部４３が形成されている。有効に光の漏れを抑制することができる。
【００５４】
挟持部４３は、針部基部４２ａに対向している針部対向面部４３ａと、この針部対向面部４３ａの上端から斜めに延びる斜面部４３ｂと、この斜面部４３ｂの上端から略水平に延びる上面部４３ｃと、を有している。斜面部４３ｂは、上面部４３ｃの端から針部４２へ向かって下り勾配に形成されている。被挟持部５１を針部４２及び挟持部４３の間に押し込むことにより、被挟持部５１を挟持させる。斜面部４３ｂは、カバー部材５０の導光体４０への取付時に、被挟持部５１をガイドする。これにより取付作業を容易に行うことができる。
【００５５】
被挟持部５１は、針部４２を囲うように略Ｕ字状に連続して形成され、それぞれの先端部が針部４２及び挟持部４３によって挟持されている。被挟持部５１は、導光体中心部４１の上面に載置されている。振動等によりカバー部材５０が針部４２に対して上下にずれそうな場合に、被挟持部５１は、導光体中心部４１の上面によって変位を規制される。部品点数を増加することなくカバー部材５０を確実に固定することができる。
【００５６】
被挟持部５１は、下面が導光体中心部４１（導光体４０）に当接し、上面がキャップ本体部６１（キャップ部材６０）当接している。即ち、被挟持部５１は、導光体中心部４１及びキャップ本体部６１によって挟みこまれている。被挟持部５１をキャップ部材６０に密着させることにより、指針囲い部５２及びキャップ部材６０の間から光が漏れることを抑制できる。
【００５７】
尚、本発明による計器は、二輪車の車速計を例に説明したが、四輪車や三輪車等他の車両にも適用可能である。さらに、本発明は、車両以外の乗り物や医療機器、温度計、湿度計等にも適用することができる。
【００５８】
加えて、被挟持部、指針囲い部、当接部及びキャップ部は、一体的に形成されていてもよい。
【００５９】
即ち、本発明の作用及び効果を奏する限りにおいて、本発明は、実施例に限定されるものではない。
【産業上の利用可能性】
【００６０】
本発明の計器は、二輪車の車速計に好適である。
【符号の説明】
【００６１】
１２…文字板
１６…光源
２０…計器用指針
４０…導光体
４１…導光体中心部
４２…針部
４３…挟持部
５０…カバー部材
５１…被挟持部
５２…指針囲い部
５３…当接部
６０…キャップ部
ＣＬ…回転軸
【図１】
2018200271.tif 000003
【図２】
2018200271.tif 000004
【図３】
2018200271.tif 000005
【図４】
2018200271.tif 000006
【図５】
2018200271.tif 000007
【図６】
2018200271.tif 000008